(57)【要約】      （修正有）【課題】  １人の作業員で、重量があり、従来であると２人以上でないと運搬のできなかったロール状の被搬送物を手軽に荷積み、荷降ろしができると共に横に長いメディアａをエレベータ内に持ち込んで搬送できるリフターを提供する。【解決手段】  キャスター８、９付の台車枠６に垂直の昇降ガイド枠７を形成し、このガイド枠７の正面に昇降枠１９を介して支持枠２２を取り付ける。このリフター１にメディアａを載せる場合には、補助台車４０のメディア受け４８、４９にメディアａを載せたのち、補助台車４０をリフター１に合体させてメディアａを載せ換える。また、メディアａをエレベータ内に持ち込むときは、回転枠６０を回転させてメディアａを斜めに立てる。【選択図】        図９
2006232548.tif 000002
【特許請求の範囲】
【請求項１】
左右の側枠に、左右方向に開放自在のキャスター付補助バーを取り付けると共に、底面にキャスターを取り付けて成る台車枠と、
前記台車枠の後部枠から垂直方向に起立して形成された昇降ガイド枠を形成する垂直枠の正面に、前記垂直枠によりガイドされて昇降するように取り付けられた昇降枠と、
前記昇降枠の下部には、垂直枠の背面上部に取り付けられたハンドル式ギャーボックスに設けられた出力スプロケットを介して垂下されたチェーンの先端が結ばれていると共に、このチェーンの他端は、ワイヤを介して前記台車の後枠に取り付けられた転輪を介して反転した後、前記昇降枠の上部に結ばれていて、昇降枠を前記ハンドルを手動で回転することにより昇降を制御する昇降装置と、
前記昇降枠の正面には、フックが設けられていて、このフックに引っ掛けて昇降枠の正面に取り付けることができると共に、下部の左右両サイドから正面側に向けて、被昇降物を支持するための支持ハンドが設けられた構成の支持枠と、
水平バーの左右両端の下面にキャスターを取り付けると共に、この水平バーの左右両端部から後方に向けて、被昇降物を保持するための支持腕を水平に形成し、且つ、この支持腕の間隔は、前記左右の支持ハンドの外側に位置し、かつ、支持ハンドが最も低い位置にあるときに、この支持ハンドよりも少し高いレベルに設定され、更に、その後端には垂直方向に立ち上げたガイド板が形成され、更に前記水平バーの中央には、垂直方向に向けて把手バーが取り付けられた構成の荷積み用の補助台車と、
から成ることを特徴とするリフター。
【請求項２】
前記台車枠の後部には、安定を図るために補助枠が延長して取り付けられていることを特徴とする請求項１に記載のリフター。
【請求項３】
前記支持枠の支持ハンド及び補助台車の支持腕において、被昇降物を載置する部分には、Ｖ字状に形成した被昇降物受けが設けられていることを特徴とする請求項１又は２に記載のリフター。
【請求項４】
前記被昇降物は、ロール状に巻き取られたプリント用メディアあるいは印刷用版胴、金属及びコンクリート製のヒューム管又は電柱等であって、数人掛かりでないと持ち上げて移動できない重量物であることを特徴とする請求項１〜３の何れか１項に記載のリフター。
【請求項５】
前記昇降枠の正面に、支持兼用の回転軸を中心として回転角度調整自在に回転枠を取り付けると共に、この回転枠の正面側の両サイドには、被昇降物固定手段を備えた被昇降物固定ハンドを水平方向に取り付け、前記昇降枠には、前記回転枠の回転をロックしたり、解除するための固定手段が設けられていることを特徴とする請求項１に記載のリフター。
【請求項６】
前記回転枠の一方の被昇降物固定ハンドには、側方に延長した補助ハンドが取り付けられていると共に、この補助ハンドの先端には、被昇降物を傾斜させたときに、この被昇降物の先端側を受け止めるための受け板が取り付けられていることを特徴とする請求項５に記載のリフター。
【請求項７】
前記補助ハンドは、伸縮自在に構成されていることを特徴とする請求項５に記載のリフター。
【請求項８】
前記固定ハンドの一方又は双方には、被昇降物を固定ハンドに固定するための固定手段が設けられていることを特徴とする請求項５〜７の何れか１項に記載のリフター。
【発明の詳細な説明】
【技術分野】
【０００１】
本発明は、例えばロール状に巻かれたメディアや印刷紙等であって、その重量が１人では持ち上げたり移動したりできない物体を、１人でプリンターや印刷機等のところに搬送したり、プリンターや印刷機等に装着したり、あるいは長尺物体を乗せたままエレベータ内に持ち込んで搬送したりすることが出来るリフターに関する。
【背景技術】
【０００２】
例えば、２．６００ｍｍ幅のメディアがロール状に巻かれたものであって、その重量が１６０ｋｇもある場合、このメディアをプリンターに装着する場合には、３〜４人掛かりとなる。このため、メディアの装着に大変手間がかかると共に、重量物のため危険であることから、手軽に、安全に搬送や装着に際して用いることができるリフターの要望が強い。
現在、重量物を搬送したり、持ち上げたりすることができるリフターとして、次のようなものが公知である。
【０００３】
【特許文献１】特開平０８−３１９０９８号公報  この発明は、フィルムロール、巻き糸玉、巻き線材、ライナー紙ロール、新聞紙ロール等、中心に中空の軸芯孔を有する包材等を人力を要することなく安全に適宜の移送領域に３次元的に移送可能とするものであって、基台１０１（台車）上に支持されるリフター１１０に、リフター１１０に対して上下動される第２水平アーム１２０が支持され、さらに第２水平アーム１２０の先端の旋回支点１２１には第１水平アーム１３０が旋回可能に支持され、第１水平アーム１３０の垂直部材１４０の下側には揺動用シリンダー１４１により揺動姿勢を変えるグリッパー１５０が配設され、このグリッパー１５０は包材等の軸芯孔に挿入されて、該孔をチャックし、包材等を保持可能としてなり、またグリッパー１５０の外方には、包材等を外側より把持可能とする外面クランプ１４２が配設されていることを特徴とするものである。
【０００４】
しかし、この公知リフターの場合、ロール状の被昇降物のリフトや移動は可能であるが、印刷機やプリンターにこの被昇降物を装着する場合に、軸芯孔にグリッパー１５０が挿入されているため、このグリッパー１５０をロールの軸芯孔から外したり、この外した後は更に別のロール保持機を使用したりすることが必要となって、一台のリフターですべての作業が完結する訳ではない。
また、この公知のリフターは、軸芯孔の無い被昇降物には用いることができない。
【０００５】
【特許文献２】特開平０６−０３９９９７号公報  この発明は、版胴搬送クレーン６に対して版胴受け渡しを行う版胴ストッカーに対する版胴供給及び排出を容易とするものであって、上面にそれぞれ複数の版胴受け２６Ａ、２６Ｂを備えた第一ストッカー８と第二ストッカー９を、版胴搬送クレーン６に対して版胴の受け渡しを行うクレーン受け渡し位置Ｐ1と、版胴の出し入れを行う版胴積み降ろし位置Ｐ2とに配置すると共に、第一ストッカー８と第二ストッカー９との位置を入れ替え可能に構成したことを特徴とするものである。
【０００６】
しかし、この発明は、版胴の受け渡しが目的であって、１人の作業員が、手軽に版胴の移動や、印刷機に版胴を装着できる位置まで持ち上げたり、あるいは印刷機から取り外した版胴をストックヤードまで搬送したりするときには用いることは出来ない。
また、上記公知例にあっては、長尺の物体をエレベータ内に持ち込むことができないため、一旦物体を台車等から降ろし、物体を立ててエレベータ内に持ち込んだり、エレベータから降ろした後は、再び台車等に載せることが必要となり、これには手間と時間がかかる。
【発明の開示】
【発明が解決しようとする課題】
【０００７】
本発明は、斯る点に鑑みて提供されるものであって、重量のあるロール状の被昇降物の荷積み、荷降ろし、搬送等を、一人で簡単かつ安全に行うことができるリフターを提供す
るのが第１の目的である。
更に、第２の目的は、軸芯孔のない、例えば丸太状の物体でも、１人で簡単に荷積み、荷降ろし、あるいは搬送可能なリフターを提供することである。
更に、第３の目的は、小さく折り畳んで、あるいは分解して運搬や格納ができると共に、使用中に倒れたりすることのない、安全なリフターを提供することである。
更に、第４の目的は、長尺の物体をエレベータで昇降するときに、そのままではエレベータ内に持ち込めないときに、長尺物体を斜めに立てて持ち込むことができるリフターを提供することである。
【課題を解決するための手段】
【０００８】
上記目的を達成するため、請求項１に記載の発明においては、リフターにおいて、左右の側枠に、左右方向に開放自在のキャスター付補助バーを取り付けると共に、底面にキャスターを取り付けて成る台車枠と、
前記台車枠の後部枠から垂直方向に起立して形成された昇降ガイド枠を形成する垂直枠の正面に、前記垂直枠によりガイドされて昇降するように取り付けられた昇降枠と、
前記昇降枠の下部には、垂直枠の背面上部に取り付けられたハンドル式ギャーボックスに設けられた出力スプロケットを介して垂下されたチェーンの先端が結ばれていると共に、このチェーンの他端は、ワイヤを介して前記台車の後枠に取り付けられた転輪を介して反転した後、前記昇降枠の上部に結ばれていて、昇降枠を前記ハンドルを手動で回転することにより昇降を制御する昇降装置と、
前記昇降枠の正面には、フックが設けられていて、このフックに引っ掛けて昇降枠の正面に取り付けることができると共に、下部の左右両サイドから正面側に向けて、被昇降物を支持するための支持ハンドが設けられた構成の支持枠と、
水平バーの左右両端の下面にキャスターを取り付けると共に、この水平バーの左右両端部から後方に向けて、被昇降物を保持するための支持腕を水平に形成し、且つ、この支持腕の間隔は、前記左右の支持ハンドの外側に位置し、かつ、支持ハンドが最も低い位置にあるときに、この支持ハンドよりも少し高いレベルに設定され、更に、その後端には垂直方向に立ち上げたガイド板が形成され、更に前記水平バーの中央には、垂直方向に向けて把手バーが取り付けられた構成の荷積み用の補助台車と、
から成ることを特徴とするものである。
【０００９】
更に、請求項２に記載の発明においては、請求項１に記載のリフターにおいて、前記台車枠の後部には、安定を図るために補助枠が延長して取り付けられていることを特徴とするものである。
【００１０】
更に、請求項３に記載の発明においては、前記支持枠の支持ハンド及び補助台車の支持腕において、被昇降物を載置する部分には、Ｖ字状に形成した被昇降物受けが設けられていることを特徴とするものである。
【００１１】
更に、請求項４に記載の発明においては、請求項１〜３の何れか１項に記載のリフターにおいて、前記被昇降物は、ロール状に巻き取られたプリント用メディアあるいは印刷用版胴、金属及びコンクリート製のヒューム管又は電柱等であって、数人掛かりでないと持ち上げて移動できない重量物であることを特徴とするものである。
【００１２】
更に、請求項５に記載の発明においては、請求項１に記載のリフターにおいて、前記昇降枠の正面に、支持兼用の回転軸を中心として回転角度調整自在に回転枠を取り付けると共に、この回転枠の正面側の両サイドには、被昇降物固定手段を備えた被昇降物固定ハンドを水平方向に取り付け、前記昇降枠には、前記回転枠の回転をロックしたり、解除するための固定手段が設けられていることを特徴とするものである。
【００１３】
更に、請求項６に記載の発明においては、請求項５に記載のリフターにおいて、前記回転枠の一方の被昇降物固定ハンドには、側方に延長した補助ハンドが取り付けられていると共に、この補助ハンドの先端には、被昇降物を傾斜させたときに、この被昇降物の先端側を受け止めるための受け板が取り付けられていることを特徴とするものである。
【００１４】
更に、請求項７に記載の発明においては、請求項５に記載のリフターにおいて、前記補助ハンドは、伸縮自在に構成されていることを特徴とするものである。
【００１５】
更に、請求項８に記載の発明においては、請求項５〜７の何れか１項に記載のリフターにおいて、前記固定ハンドの一方又は双方には、被昇降物を固定ハンドに固定するための固定手段が設けられていることを特徴とするものである。
【００１６】
[作用]
昇降ガイド枠に取り付けた昇降枠の正面には、支持枠を取り付けて、荷積みの際はこの昇降枠を最も低い位置まで降ろしておく。補助台車は、把手バーを立てた状態で移動し、この補助台車に荷積みを行う場合には、把手バーを９０°後方に倒すと、垂直に立っていたガイド板が水平に変化するので、この水平としたところに例えばロール状に巻かれたメディアを転がして載せ、把手バーを９０°起こすと、メディアは転がって支持腕のＶ字状の被昇降物受けに載り、安定する。
【００１７】
この状態で把手バーを持ち、キャスターを利用して押しながらリフターのところまで移動する。又は、リフターを補助台車のところまで移動する。そして、補助台車の左右の支
持腕の間にリフター側の支持ハンドが入るようにしてリフターと補助台車を合体させると、補助台車の支持腕で水平に保持されたメディアが丁度リフター側の支持ハンド上にくる。
【００１８】
この状態でギャーボックスのハンドルを回転し、昇降枠を少し上昇させると、この昇降枠の支持ハンドがメディアの下部に当る。更に、ハンドルを回転すると、昇降枠が垂直枠に沿って上昇するため、メディアはリフター側に乗り移るので、この状態になったならリフター側を補助台車から離し、所定の位置までメディアを搬送する。
所定の位置まで来て、更にメディアの位置を上げたい場合には、ハンドルを回転すると、昇降枠は任意の高さまで上昇し、メディアの位置が定まるので、この状態でメディアを例えばプリンターの給紙部に取り付ける。
版胴を印刷機から取り外すような場合には、上記した手順と逆の手順で行う。
次に、メディアを狭いエレベータに持ち込むときは、昇降枠に回転枠が付けられたリフターを用いる。この時は、回転枠の支持ハンドの補助ハンドを伸長させてから支持ハンド上にメディアを乗せ、次に補助バーを縮めて受け板をメディアの先端に当てて押え、その上でメディアを支持ハンドに固定手段を用いて固定する。そして、エレベータのところで回転枠を回転することによりメディアを斜めに立ててエレベータ内に持ち込む。このようにすると、長尺のメディアでも容易にエレベータ内に搬入して搬送ができる。
【発明の効果】
【００１９】
本発明は以上のように、補助台車に被昇降物を載せるのも、この補助台車に載せた被昇降物を昇降ガイド枠側に載せ換えることも、１人の作業員で簡単に行うことができる。
よって、作業能率の向上と、人手の削減が可能になると共に、作業の安全性を確保することができる。
また、本発明のリフターは、リフターから昇降枠や支持枠を取り外すことができるため、運搬や格納に便利である共に、台車枠の左右に補助バーを開くことにより、使用中にリフターを安定させて倒れたりするのを防止することができる。
また、長尺の物体をエレベータ内に持ち込むときは、この長尺物体を斜めに立てることができるため、従来のようにいちいち長尺物体を台車から降ろし、立ててエレベータ内に持ち込んだり、エレベータ内から降ろしたりすると云った手間と時間がかからない。
【実施例１】
【００２０】
図１〜図１０に基づいて、請求項１〜４に記載した本発明に係るリフターの詳細を説明する。図１は、リフターの台車枠と昇降ガイド枠の斜視図、図２は前記リフターに取り付けられる昇降枠の斜視図、図３はリフターにロールのメディアを載せる時及び降ろす時に用いる補助台車の斜視図、図４は昇降ガイド枠と昇降枠の関係を示す説明図、図５は昇降枠と支持枠の関係を示す説明図、図６は補助台車にロールを載せようとしている状態の説明図、図７はロールを載せた補助台車にリフターを近づけて合体させようとしている状態の説明図、図８はリフターと補助台車を合体させた状態の説明図、図９はリフターの昇降枠を上昇させて、ロールを持ち上げ、補助バーを開いて安定を図っている状態の説明図、図１０はリフターでメディアをプリンターのところまで搬送している状態の説明図である。
【００２１】
上記構成において、先ずリフターの構成を説明する。
１はリフターであって、このリフター１は、前枠２及び左右側枠３、４及び後枠５で四角形に形成された台車枠６と、この台車枠６の後枠５の部分から垂直に起立させた昇降ガイド枠７とから成る。
台車枠６の下面には、前輪キャスター８と後輪キャスター９が取り付けられていると共に、左右側枠３、４の上面には、後端が軸１１で台車枠６に軸支された補助バー１０が後方に向けて９０°開放するように取り付けられており、この補助バー１０の先端下面にはキャスター１２が取り付けられている。
【００２２】
１３は台車枠６において、後枠５より更に後方に突出するようにして形成された補助枠であって、前記した後輪キャスター９は、この補助枠１３の下面に取り付けられていて、台車枠６の後方安定が図られている。１４は補助バー１０の上面に取り付けられた固定板であって、この固定板１４は補助バー１０を開いた時に、図９に示すように、約４５°廻してその孔１６を台車枠６側のピン１５に挿し込んで補助バー１０の開きを固定するものである。
【００２３】
昇降ガイド枠７は、垂直左枠１７と垂直右枠１７ａ及び天枠１８から成ると共に、左右枠１７、１７ａは、図４に示すように、内向きのコ字状のガイド溝１７ｂを長手方向に形成した構成から成る。
１９は昇降ガイド枠７の正面に取り付けられる昇降枠であって、この昇降枠１９の左右側面の上下には、ガイドローラー２０が取り付けられていて、このガイドローラー２０は、図４に示すように、前記した昇降ガイド枠７のガイド溝１７ｂ内に組み込まれていて、昇降枠１９はスムーズにガイド溝１７ｂに沿って昇降することができる。
【００２４】
昇降枠１９の正面には、上向きにフック２１が設けられていて、このフック２１に対して図２に示す支持枠２２の係止部２２ａを取り付け、下枠２３はビス２３ａで止め板２１ａに止められる。この支持枠２２は、図２に示すように、四角形の枠から成り、下枠２３の左右には水平方向にハンド２４、２５が形成されている。ハンド２４、２５の上面にはＶ字状のメディア受け２６、２７が形成されていて、メディアは、このメディア受け２６、２７上に載置される。
２９、３０は昇降ガイド枠７の上部の左右に取り付けられた握りであって、この握り２９、３０は左右方向に取り付けられているが、必要に応じて、後方を向くように（２９ａ、３０ａ）付け換え自在である。
【００２５】
３１は昇降ガイド枠７の上部背面に取り付けられたギャーボックスであって、このギャーボックス３１内には、ハンドル３２で回転される入力ギャーと、中間ギャーを経由して減速しながら出力スプロケット３３の出力軸３４を回転する出力ギャーが組み込まれている。
３５は前記出力スプロケット３３に掛けられたチェンであって、このチェン３５の一端３６は下降して昇降枠１９（又は台車枠６）の下枠１９ａに取り付けられた転輪３９を経由して上昇し、昇降枠１９の上枠１９ｂに結ばれている。
【００２６】
図３に示す補助台車４０は、水平バー４１の左右両端下面にキャスター４２、４３を取り付けると共に、後方に向けて水平に支持腕４４、４５を形成し、この支持腕４４、４５の後端下面にキャスター４６、４７を取り付け、上面にＶ字状のメディア受け４８、４９を取り付けると共に、このメディア受け４８、４９の後端から垂直方向にガイド板５０、５１を取り付け、前記水平バー４１の中央には、垂直方向に把手バー５２を取り付けた構成である。
【００２７】
次に、上記リフター１と補助台車４０を用いて行うメディアの荷積み、昇降、搬送例を説明する。
リフター１の昇降枠１９には、支持枠２２を取り付けて、この昇降枠１９は最も低い位置までハンドル３２を回転して降ろしておく。補助台車４０は、把手バー５２を立てた状態で移動し、この補助台車４０に荷積みを行う場合には、図６に示すように、把手バー５２を９０°後方に倒すと、垂直に立っていたガイド板５０、５１が水平に変化するので、この水平としたところに例えばロール状に巻かれたメディアａを転がしてガイド板５０、５１を介してメディア受け４８、４９を載せ、その上で把手バー５２を９０°起こすと、メディアａは転がって支持腕４４、４５のＶ字状のメディア受け４８、４９に載る。
【００２８】
この状態で把手バー５２を持ち、キャスター４２、４３、４６、４７を利用して補助台車４０を押しながら昇降ガイド枠７の台車枠６の正面に近づき、補助台車４０の左右の支持腕４４、４５の間に昇降ガイド枠７側の支持腕２４、２５（メディア受け２６、２７）が入るようにして昇降ガイド枠７と補助台車４０を合体させると、補助台車４０の支持腕４４、４５で水平に保持されたメディアａが丁度支持枠２２のメディア受け２６、２７の上にくる。
【００２９】
この状態でハンドル３２を回転し、チェン３５を引き上げて昇降枠１９を少し上昇させると、この昇降枠１９に取り付けられた支持枠２２のメディア受け２６、２７がメディアａの下部に当る。更に、ハンドル３２を回転すると、昇降枠１９が垂直枠１７、１７ａに沿って上昇するため、メディアａは支持枠２２のメディア受け２６、２７に乗り移る。この状態になったなら昇降ガイド枠７（台車枠６）から補助台車４０を離し、所定の位置までメディアａを搬送する（図１０）。
所定の位置まで来て、更にメディアａの位置を上げたい場合には、ハンドル３２を回転すると、昇降枠１９は任意の高さまで上昇し、メディアａの位置が定まるので、この状態でメディアａをプリンターｂの給紙部に取り付ける。
【実施例２】
【００３０】
本実施例２は、メディアａをエレベータを用いて上階又は下階に搬送するときに、メディアａの長さが長すぎて横に寝かせた状態でエレベータ内に持ち込むことができない場合に、メディアａを斜めに立てて保持することができるように、昇降枠１９の正面に、回転枠６０を取り付けたものである。
この回転枠６０は、図１１〜図１４に示すように、昇降枠１９の正面中央に、支持回転軸６２により回転自在に取り付けられていると共に、回転枠６０の四角形の枠体６１の正面側の両サイドには、水平Ｌ型の横桿６３ａ、６４ａを介して水平前向きにメディアａを水平に保持するメディア保持ハンド６３、６４が取り付けてある。そして、メディア保持ハンド６３側には側方に伸縮自在の２本のパイプ６５の先に直角に受け板６６を取り付けた補助ハンド６７が取り付けられている。なお、この補助ハンド６７は、メディア保持ハンド６４側に取り付けてもよい。
６８は前記パイプ６５を縮めたときに収める鞘パイプ、６９はパイプ６５の伸縮位置を固定するための固定ねじである。
７０、７０ａは、他方の保持ハンド６４側に取り付けたメディアａの固定手段である。但し、この固定手段は、保持ハンド６３の双方に取り付けても良い。
【００３１】
７１は、昇降枠１９の正面に取り付けられた回転枠６０の固定手段であって、この固定手段７１は、ハンドル７２と、このハンドル７２により支点７３を中心にして回転するロック溝７４を内側に形成したロック板７５と、回転枠６０を昇降枠１９の正面において、水平に位置させたときにこの状態を保持するために前記ロック溝７４に係合自在の回転枠６０から突出させたロックピン７６とから成る。７５ａはロック板７５に形成した逃げ縁である。
但し、上記実施例２では、回転枠６０は昇降枠１９の正面に取り付けているが、前記した支持枠２２の正面に同じように取り付けることにより、メディアａを斜めに立てる必要がある場合には、この回転枠６０を取り付けた支持枠２２を昇降枠１９のフック２１に掛けて用い、そうでない場合には、支持枠２２だけのものを用いるようにしても良い。このようにすると、リフター１は一台で兼用させることができて経済的である。
【００３２】
図１３において、７７は回転枠６０を回転させたときに溝７７ｂに係合自在のストッパーピン、７７ａはロック板７５がスプリング７８により時計方向に回転するのを止めるストッパーピンであって、ロック板７５は常にスプリング７８により時計方向に付勢されていて、ロック溝７４をロックピン７６に係合させて回転枠６０を水平に保つ。１９ａはロック板７５の取付板である。
図１１において、７９は回転枠６０を回転したときに、この状態をロックするためのロックハンドルであって、保持ハンド６３のところに取り付けられていて、垂直枠１７の内側にハンドル爪８０が係合することにより、回転枠６０は斜めにロックされる。
【００３３】
次に、上記した実施例２の回転枠６０の使用例について説明する。先ず、昇降枠１９を下に下げて、回転枠６０の保持ハンド６３、６４上にメディアａを載せるまでは、実施例１と同様にして行う。但し、このとき、補助ハンド６７は伸長させておく。メディアａをハンド６３、６４に載せたなら、補助ハンド６７を縮めてメディアａの先端に受け板６６を当て、次に固定ねじ６９を縮めてパイプ６５を固定ねじ６９で固定し、固定手段７０、７０ａを用いてメディアａを保持ハンド６４に固定する。そして、エレベータ内に持ち込むときは、図１４に示すようにロックハンドル７０を持ってロック板７５を支点７３を中心としてストッパーピン７７に当るまで反時計方向に回転すると、ロック溝７４からロックピン７６が解放される。この状態でメディアａを持ち、図１４に示すようにメディアａを反時計方向に約５５°回転し、斜めロックハンドル７９の先端８０を垂直枠１７の内側に係合させて回転枠６０の逆回転（戻り）をロックする。
【００３４】
メディアａは、この状態でエレベータ内に持ち込む。そして、目的の階まで行き、エレベータから降りるまでは斜め状態を維持し、降りたところで、ロックハンドル７９を解除し、メディアａを水平に戻し、スプリング７８により、ロック板７５を時計方向に回転させて先程のロック溝７４とロックピン７６を再ロックさせる。この結果、メディアａは再び水平になるので、この状態で目的のところまで搬送する。
以上のように本実施例２は、メディアａが長くて持ち込めないエレベータ内、あるいは、幅が狭くてそのまま持ち込めない出入口等において、極めて有効である。
【産業上の利用可能性】
【００３５】
本発明に係るリフターの利用分野を例示すると次のとおりである。
１．ロール状のメディアの搬送
２．印刷用版胴の搬送
３．金属又はコンクリート製のパイプの搬送
４．ロール状に巻かれた印刷紙の搬送
５．丸太（木材）の搬送
【図面の簡単な説明】
【００３６】
【図１】リフターの斜視図
【図２】リフターに取り付けられる昇降枠の斜視図
【図３】リフターにロールのメディアを載せる時及び降ろす時に用いる補助台車の斜視図
【図４】昇降ガイド枠と昇降枠の関係を示す説明図
【図５】昇降枠と支持枠の関係を示す説明図
【図６】補助台車にロールを載せようとしている状態の説明図
【図７】ロールを載せた補助台車にリフターを近づけて合体させようとしている状態の説明図
【図８】リフターと補助台車を合体させた状態の説明図
【図９】リフターの昇降枠を上昇させて、ロールを持ち上げ、補助バーを開いて安定を図っている状態の説明図
【図１０】リフターでメディアをプリンターのところまで搬送している状態の説明図
【図１１】メディアを斜めに保持する回転枠の説明図
【図１２】回転枠の正面図
【図１３】回転枠固定装置の説明図
【図１４】メディアを斜めに立てて保持している回転枠の説明図
【符号の説明】
【００３７】
１  リフター
６  台車枠
７  昇降ガイド枠
２２  支持枠
３１  ギャーボックス
３２  ハンドル
３３  出力スプロケット
３５  チェン
４０  補助台車
４８、４９  メディア受け
５１  ガイド板
５２  把手バー
６０  回転枠
６７  補助ハンド
ａ  メディア
【図１】
2006232548.tif 000003
【図２】
2006232548.tif 000004
【図３】
2006232548.tif 000005
【図４】
2006232548.tif 000006
【図５】
2006232548.tif 000007
【図６】
2006232548.tif 000008
【図７】
2006232548.tif 000009
【図８】
2006232548.tif 000010
【図９】
2006232548.tif 000011
【図１０】
2006232548.tif 000012
【図１１】
2006232548.tif 000013
【図１２】
2006232548.tif 000014
【図１３】
2006232548.tif 000015
【図１４】
2006232548.tif 000016